(57)【要約】【構成】ジャック１４にＡＣアダプタのプラグが挿入されていないときは、スイッチ回路２０および２２はオン状態となる。この場合、負荷１８は、電池２０から出力される直流電力Ｐｂによって駆動される。一方、ジャック１４にプラグが挿入されて、当該ジャック１４の正極端子１４ａおよび負極端子１４ｃ間に直流電力Ｐａに従う電圧Ｖが印加されると、スイッチ回路２０および２２はオフ状態となる。この場合、負荷１８は、直流電力Ｐａによって駆動される。【効果】プラグがジャック１４に挿入される過程においても常に負荷１８に対して直流電力ＰａまたはＰｂが供給されるので、当該負荷１８の安定動作が保障される。また、２つのスイッチ回路２０および２２が設けられているので、直流電力Ｐａが供給されているときに当該直流電力Ｐａに従う電流が電池１２に流れ込むのが確実に防止され、電池１２の安全がより一層確保される。【選択図】　図１
2004096892.tif 000002
【特許請求の範囲】
【請求項１】
ジャックに挿入可能なプラグから出力される第１直流電力および電池から出力される第２直流電力のいずれかを駆動電源として負荷を駆動させる電源切換装置において、
前記第１直流電力の供給／非供給に応じて前記電池の第１極端子と前記負荷の第１極端子との接続／非接続を制御する第１スイッチ手段、および
前記第１直流電力の供給／非供給に応じて前記電池の第２極端子と前記負荷の第２極端子との接続／非接続を制御する第２スイッチ手段を備えることを特徴とする、電源切換装置。
【請求項２】
前記ジャックは、前記負荷の第１極端子に接続された接続端子、および前記プラグの挿入／非挿入によって前記接続端子と接触／非接触状態となるスイッチ端子を備え、
前記スイッチ端子は前記電池の第１極端子に接続される、請求項１記載の電源切換装置。
【請求項３】
前記第１スイッチ手段および前記第２スイッチ手段の少なくとも一方は、ＦＥＴスイッチング素子を含む、請求項１または２記載の電源切換装置。
【請求項４】
前記電池は一次電池である、請求項１ないし３のいずれかに記載の電源切換装置。
【発明の詳細な説明】
【０００１】
【産業上の利用分野】
この発明は、電源切換装置に関し、特にたとえば、ジャックに挿入可能なプラグから出力される第１直流電力および電池から出力される第２直流電力のいずれかを電源電力として負荷を駆動させる、電源切換装置に関する。
【０００２】
【従来技術】
従来のこの種の電源切換装置の一例が、２００１年７月１０日付けで出願公開された特開２００１−１９００３４号公報［Ｈ０２Ｊ９／０６］に開示されている。この従来技術では、プラグが挿入されたときに当該プラグの正電極と接触する第１の接続端子，プラグの負電極と接触する第２の接続端子，およびプラグの挿入／非挿入によって第２の接続端子と非接触／接触状態となる可動切片を有するジャック（公報では「ソケット」と表記されている。）が、設けられている。そして、このジャックの第１の接続端子と電池の正電極との間に、可動切片の接触／非接触状態に応じてオン／オフするスイッチ手段が設けられている。
【０００３】
したがって、プラグがジャックに挿入されておらず、可動切片が第２の接続端子と接続されているときには、スイッチ手段がオンし、これによって電池の出力電力が負荷（制御回路８）の駆動電源となる。一方、プラグがジャックに挿入されているときは、当該プラグから供給される直流電力が駆動電源となる。このとき、可動切片が第２の接続端子と非接触状態となり、スイッチ手段がオフするので、プラグからの直流電力に従う電流が電池に流れ込むことはない。なお、スイッチ手段としては、それ自体による電圧降下を抑制するために、ＦＥＴ（電解効果トランジスタ）スイッチング素子が用いられている。
【０００４】
【発明が解決しようとする課題】
しかし、上述の従来技術においては、プラグがジャックに挿入されるとき、まずプラグの負電極がジャックの第２の接続端子と接触し、次にジャックの可動切片が当該第２の接続端子から離れて非接触状態となり、最後にプラグの正電極がジャックの第１の接続端子と接触する。したがって、プラグがジャックに挿入される過程の途中で、具体的には、可動切片が第２の接続端子と非接触となってからプラグの正電極がジャックの第１の接続端子と接触するまでの間に、電池の出力電力およびプラグからの直流電力のいずれも負荷に供給されない状態が生じる。このように負荷に対して駆動電源が一瞬供給されなくなるという言わば瞬断が生じると、負荷の動作が不安定となり、場合によってはフリーズするという問題がある。なお、この瞬断は、プラグがジャックに挿入されている状態で、当該プラグをジャックから引き抜くときにも生じる。
【０００５】
また、スイッチ手段を構成するＦＥＴが何らかの原因で破損して短絡した場合、プラグからの直流電力に従う電流が電池に流れ込み、これによって電池が破損する可能性があるという問題もある。
【０００６】
それゆえに、この発明の主たる目的は、負荷の安定動作を保障しつつ、電池の安全を確保できる、電源切換装置を提供することである。
【０００７】
【課題を解決するための手段】
この発明は、ジャックに挿入可能なプラグから出力される第１直流電力および電池から出力される第２直流電力のいずれかを駆動電源として負荷を駆動させる電源切換装置において、第１直流電力の供給／非供給に応じて電池の第１極端子と負荷の第１極端子との接続／非接続を制御する第１スイッチ手段、および第１直流電力の供給／非供給に応じて電池の第２極端子と負荷の第２極端子との接続／非接続を制御する第２スイッチ手段を備えることを特徴とする、電源切換装置である。
【０００８】
【作用】
この発明では、プラグがジャックに挿入されておらず、当該ジャックを介して第１直流電力が供給されていないとき、第１スイッチ手段は、電池の第１極端子と負荷の第１極端子とを接続し、第２スイッチ手段は、電池の第２極端子と負荷の第２極端子とを接続する。この場合、負荷は、電池から出力される第２直流電力を駆動電源として駆動する。一方、プラグがジャックに挿入され、これによってジャックを介して第１直流電力が供給されると、第１スイッチ手段は、電池の第１電極端子と負荷の第２電極端子とを非接続とし、第２スイッチ手段は、電池の第２電極端子と負荷の第２電極端子とを非接続とする。この場合、負荷は、プラグから出力される第１直流電力を駆動電源として駆動する。つまり、第１直流電力が供給されたか否かに基づいて、当該第１直流電力自体および第２直流電力のいずれかが負荷の駆動電源とされる。
【０００９】
また、負荷に第１直流電力が供給されているときに、第１スイッチ手段および第２スイッチ手段の一方が破損して短絡状態となっても、他方は開放状態にあるので、当該第１直流電力に従う電流が電池に流入することはない。換言すれば、第１スイッチ手段および第２スイッチ手段の両方が短絡しない限り、第１直流電力に従う電流が電池に流入することはない。
【００１０】
なお、ジャックは、負荷の第１極端子に接続された接続端子、およびプラグの挿入／非挿入によって接続端子と接触／非接触状態となるスイッチ端子を備えたものであってもよい。この場合、スイッチ端子は、電池の第１極端子に接続されるようにする。このようにすれば、プラグがジャックに挿入されていないとき、電池の第１極端子は、スイッチ端子および接続端子を介して負荷の第１極端子に接続され、換言すれば第１スイッチ手段を介さない経路でも負荷の第１極端子に接続される。したがって、電池から出力される第２直流電力によって負荷が駆動されるときの第１スイッチ手段による当該第２直流電力の損失を排除できる。
【００１１】
また、第１スイッチ手段および第２スイッチ手段の少なくとも一方は、ＦＥＴスイッチング素子を含むものとするのが望ましい。すなわち、ＦＥＴスイッチング素子は、他の半導体スイッチング素子に比べて損失が小さいため、かかるＦＥＴスイッチング素子を第１スイッチ手段に用いることで、当該第１スイッチ手段を介することによる第１直流電力の損失が抑制される。これと同様に、第２スイッチ手段にＦＥＴスイッチング素子を用いることで、当該第２スイッチ手段を介することによる第２直流電力の損失が抑制される。
【００１２】
そして、電池としては、一次電池を用いることができる。すなわち、電池として充電の禁止されている一次電池が採用されている場合に、この発明は特に有効である。
【００１３】
【発明の効果】
この発明によれば、プラグからジャックを介して第１直流電力が供給されたか否かに基づいて、当該第１直流電力自体および第２直流電力のいずれかが負荷の駆動電源とされる。したがって、ジャックの可動切片の状態に応じて駆動電源が切り換わるという上述の従来技術とは異なり、プラグがジャックに挿入される過程またはプラグがジャックから引き抜かれる過程で瞬断は生じない。また、第１スイッチ手段および第２スイッチ手段の両方が破損して短絡状態にならない限り、第１直流電力に従う電流が電池に流入することはないので、スイッチ手段が１つのみとされている従来技術に比べて、電池の安全を確保できる。つまり、負荷の安定動作を保障しつつ、電池の安全を確保することができる。
【００１４】
この発明の上述の目的，その他の目的，特徴および利点は、図面を参照して行う以下の実施例の詳細な説明から一層明らかとなろう。
【００１５】
【実施例】
図１を参照して、この実施例の電子機器１０は、図示しないＡＣアダプタから得られる直流電力Ｐａおよび電池１２から得られる直流電力Ｐｂのいずれによっても駆動可能なものであり、かかる電子機器１０としては、たとえば携帯型のメモリオーディオプレーヤやディジタルカメラがある。なお、直流電力Ｐａの電圧値Ｖは、直流電力Ｐｂの電圧値Ｅと略同等（Ｖ≒Ｅ）または当該電圧値Ｅよりも若干高め（Ｖ＞Ｅ）とされている。
【００１６】
ＡＣアダプタの出力端子としての図示しないプラグは、ジャック１４に挿入される。このジャック１４は、プラグが挿入されたときに当該プラグの図示しない正極端子と接触する正極端子１４ａ，当該プラグの図示しない負極端子と接触する負極端子１４ｂ，およびプラグの挿入／非挿入に応じて負極端子１４ｂと非接触／接触状態となるスイッチ端子１４ｃを有している。なお、このジャック１４にプラグが挿入されるときは、まずプラグの負極端子がジャック１４の負極端子１４ｂに接触し、負極端子１４ｂがスイッチ端子１４ｃから離れる。これによって、両端子１４ｂおよび１４ｃが非接触状態となる。続いて、プラグの正極端子がジャック１４の正極端子１４ａに接触する。プラグがジャック１４から引き抜かれるときは、これと逆の動作となる。
【００１７】
ジャック１４の正極端子１４ａは、逆流阻止用のダイオード１６のアノード端子に接続され、このダイオード１６のカソード端子は、負荷１８の正極端子１８ａに接続されている。正極端子１４ａはまた、後述するスイッチ回路２０の制御端子２０ａおよびスイッチ回路２２の第１制御端子２２ａにも接続されている。一方、ジャック１４の負極端子１４ｂは、接地電位（ＧＮＤ）に接続されており、スイッチ端子１４ｃは、スイッチ回路２２の入力端子２２ｂおよび後述する負極中継端子２４に接続されている。
【００１８】
電池１２は、図示しない電池ホルダに対して着脱可能とされており、この電池ホルダに装着されることで、当該電池１２の正極端子１２ａが正極中継端子２６に接続され、負極端子１２ｂが上述の負極中継端子２４に接続される。このうち正極中継端子２６は、上述のスイッチ回路２０の入力端子２０ｂおよびスイッチ回路２２の第２制御端子２２ｃに接続されている。一方、負極中継端子２４は、上述したようにジャック１４のスイッチ端子１４ｃに接続されており、スイッチ回路２２の入力端子２２ｂにも接続されている。なお、電池１２としては、マンガン乾電池やアルカリ乾電池などの一次電池の他に、ニッケル水素蓄電池やリチウムイオン蓄電池などの二次電池をも使用することができる。
【００１９】
スイッチ回路２０は、制御端子２０ａおよび入力端子２０ｂの他に、出力端子２０ｃを有している。この出力端子２０ｃは、負荷１８の正極端子１８ａおよびダイオード１６のカソード端子に接続されている。
【００２０】
スイッチ回路２２もまた、出力端子２２ｄを有しており、この出力端子２２ｄは、接地電位に接続されている。接地電位には、負荷１８の負極端子１８ｂも接続されている。換言すれば、負荷１８の負荷端子１８ｂは、接地電位を介してスイッチ回路２２の出力端子２２ｄおよびジャック１４の負極端子１４ｂに接続されている。
【００２１】
図２を参照して、スイッチ回路２０は、スイッチング動作を目的とするＦＥＴ５０を有している。このＦＥＴ５０のソース端子は入力端子２０ｂに接続されており、ドレイン端子は出力端子２０ｃに接続されている。そして、このＦＥＴ５０のゲート端子は、別のＦＥＴ５２のドレイン端子に接続されている。
【００２２】
ＦＥＴ５２は、上述のＦＥＴ５０をオン／オフ駆動するためのもので、そのソース端子は、接地電位に接続されている。そして、このＦＥＴ５２のゲート端子は、抵抗器５４を介して入力端子２０ｂに接続されるとともに、ＮＰＮ型のトランジスタ５６のコレクタ端子にも接続されている。
【００２３】
トランジスタ５６は、ジャック１４に直流電力Ｐａが供給されたか否かに応じてＦＥＴ５２をオン／オフ駆動するもので、そのコレクタ端子は、上述したようにＦＥＴ５２のゲート端子に接続されており、抵抗器５４を介して入力端子２０ｂにも接続されている。そして、このトランジスタ５６のエミッタ端子は、接地電位に接続されており、ベース端子は、抵抗器５８を介して接地電位に接続されている。さらに、トランジスタ５６のエミッタ端子は、抵抗器６０を介してツェナダイオード６２のアノード端子にも接続されており、このツェナダイオード６０のカソード端子は、制御端子２０ａに接続されている。
【００２４】
一方、図３を参照して、スイッチ回路２２は、スイッチング動作を目的とするＦＥＴ７０を有している。このＦＥＴ７０のドレイン端子は入力端子２２ｂに接続されており、ソース端子は出力端子２２ｄに接続されている。そして、このＦＥＴ７０のゲート端子は、抵抗器７２を介して第２制御端子２２ｃに接続されるとともに、別のＦＥＴ７４のドレイン端子にも接続されている。
【００２５】
ＦＥＴ７４は、ジャック１４に直流電力Ｐａが供給されたか否かに応じて上述のＦＥＴ７０をオン／オフ駆動するもので、そのソース端子は、接地電位に接続されている。そして、このＦＥＴ７４のゲート端子は、抵抗器７６を介して第１制御端子２２ａに接続されるとともに、抵抗器７８を介して接地電位にも接続されている。
【００２６】
このように構成された電子機器１０において、たとえば今、プラグがジャック１４に挿入されていない状態にあるとする。すなわち、プラグからジャック１４を介して電子機器１０内に直流電力Ｐａが供給されておらず、換言すればジャック１４の正極端子１４ａと負極端子１４ｂとの間に電圧Ｖが印加されていない状態にあるとする。そして、ジャック１４のスイッチ端子１４ｃが負極端子１４ｂに接触しており、これによって電池１２の負極端子１２ｂが当該スイッチ端子１４ｃおよび負極端子１４ｂを介して接地電位に接続されているとする。
【００２７】
この場合、スイッチ回路２０の制御端子２０ａに対して何ら電圧（信号）が印加されないため、当該スイッチ回路２０内においては、図２に示すトランジスタ５６のベース端子電圧が接地電位となる。したがって、トランジスタ５６のベース−エミッタ端子間電圧が当該トランジスタ５６をオンさせるのに必要な条件を満足できず、トランジスタ５６はオフ状態となる。すると、ＦＥＴ５２のゲート端子に対し、抵抗器５４を介して電池１２から直流電力Ｐｂに従う電圧Ｅが印加され、これによってＦＥＴ５２のゲート−ソース端子間電圧が当該ＦＥＴ５２をオンさせるのに必要な条件を満足し、ＦＥＴ５２はオン状態となる。このようにＦＥＴ５２がオン状態となると、ＦＥＴ５０のゲート端子がＦＥＴ５２を介して接地電位に接続される。
【００２８】
ＦＥＴ５０のソース端子には、電圧Ｅが印加されているので、上述のようにＦＥＴ５０のゲート端子がＦＥＴ５２を介して接地電位に接続されることで、ＦＥＴ５０のゲート−ソース端子間電圧は当該ＦＥＴ５０がオンするのに必要な条件を満足する。これによって、ＦＥＴ５０がオン状態となり、当該ＦＥＴ５０を介してスイッチ回路２０の入力端子２０ｂと出力端子２０ｃとが互いに電気的に接続され、ひいては電池１２の正極端子１２ａと負荷１８の正極端子１８ｂとが互いに電気的に接続される。
【００２９】
一方、負荷１８の負極端子１８ｂは、接地電位を介して電池１２の負極端子１２ｂに接続された状態にある。また、負荷１８の負極端子１８ｂは、スイッチ回路２２経由でも電池１２の負極端子１２ｂと電気的に接続された状態にある。
【００３０】
すなわち、スイッチ回路２２の第１制御端子２２ａに対して何ら電圧が印加されておらず、第２制御端子２２ｃに対しては電圧Ｅが印加されている状態にあるため、図３に示すスイッチ回路２２内においては、ＦＥＴ７４のゲート端子電圧が接地電位となる。したがって、ＦＥＴ７４のゲート−ソース端子間電圧が当該ＦＥＴ７４をオンさせるのに必要な条件を満足せず、これによってＦＥＴ７４はオフ状態となる。
【００３１】
このようにＦＥＴ７４がオフ状態となると、もう一方のＦＥＴ７０のゲート端子に抵抗器７２を介して電圧Ｅが印加される。これによって、ＦＥＴ７０のゲート−ソース端子間電圧が当該ＦＥＴ７０をオンさせるのに必要な条件を満足し、当該ＦＥＴ７０がオンされる。その結果、スイッチ回路２２の入力端子２２ｂと出力端子２２ｄとがＦＥＴ７０を介して互いに接続され、ひいては負荷１８の負極端子１８ｂが当該スイッチ回路２２（ＦＥＴ７０）を介して電池１２の負極端子１２ｂと電気的に接続される。
【００３２】
つまり、プラグがジャック１４に挿入されていない状態にあるときは、電池１２の正極端子１２ａが負荷１８の正極端子１８ａと接続され、電池１２の負極端子１２ｂが負荷１８の負極端子１８ｂと接続される。したがって、負荷１８は、電池１２から出力される直流電力Ｐｂによって駆動される。
【００３３】
次に、ジャック１４にプラグが挿入され、その途中で当該プラグの負極端子がジャック１４の負極端子１４ｂと接触することで、当該負極端子１４ｂがスイッチ端子１４ｃから離れ、これによって両端子１４ｂおよび１４ｃが非接触状態になったとする。ただし、プラグの正極端子は、未だジャック１４の正極端子１４ａと接触していない状態にあるとする。
【００３４】
この場合、スイッチ回路２０の制御端子２０ａに対しては、未だ何らの電圧も印加されないので、電池１２の正極端子１２ａは当該スイッチ回路２０（ＦＥＴ５０）を介して負荷１８の正極端子１８ａと接続されている状態にある。一方、スイッチ回路２２の第１制御端子２２ｂに対しても、未だ何らの電圧も印加されないので、電池１２の負極端子１２ｂは当該スイッチ回路２２（ＦＥＴ７０）を介して接地電位に接続された状態にある。したがって、上述のようにジャック１４のスイッチ端子１４ｃが負極端子１４ｂと非接触状態となっても、電池１２の負極端子１２ｂはスイッチ回路２２を介して接地電位と接続され、ひいては負荷１８の負極端子１８ｂと接続された状態にある。
【００３５】
このように、ジャック１４にプラグが挿入される過程において、当該プラグの正極端子がジャック１４の正極端子１４ａと接触するまでの間は、電池１２の正極端子１２ａがスイッチ回路２０を介して負荷１８の正極端子１８ａと接続され、電池１２の負極端子１２ｂがスイッチ回路２２を介して負荷１８の負極端子１８ｂと接続された状態にある。したがって、負荷１８は、電池１２から出力される直流電力Ｐｂによって駆動される。
【００３６】
ここで、さらにプラグがジャック１４の奥深くに挿入され、これによって当該プラグの正極端子がジャック１４の正極端子１４ａと接触したとする。
【００３７】
この場合、スイッチ回路２０の制御端子２０ａに対して電圧Ｖが印加されるので、このスイッチ回路２０内においては、図２に示すトランジスタ５６のベース端子に、ツェナダイオード６２の定格電圧と２つの抵抗器５８および６０の分圧比とに応じた電圧が印加される。これによって、トランジスタ５６がオン状態となり、ＦＥＴ５２のゲート端子が当該トランジスタ５６を介して接地電位に接続される。このようにゲート端子が接地電位に接続されると、ＦＥＴ５２はオフ状態となり、これに伴ってＦＥＴ５０もオフ状態となる。これによって、スイッチ回路２０の入力端子２０ｂと出力端子２０ｃとの間が電気的に切断され、ひいては電池１２の正極端子１２ａと負荷１８の正極端子１８ａとの間が電気的に切断される。
【００３８】
一方、スイッチ回路２２の第１制御端子２２ａに対しても電圧Ｖが印加されるので、このスイッチ回路２２内においては、図３に示すＦＥＴ７４のゲート端子に、当該電圧Ｖと抵抗器７６および７８の分圧比とに応じた電圧が印加される。これによって、ＦＥＴ７４がオン状態となり、ＦＥＴ７０のゲート端子が当該ＦＥＴ７４を介して接地電位に接続される。このようにゲート端子が接地電位に接続されると、ＦＥＴ７０はオフ状態となり、これによってスイッチ回路２２の入力端子２２ｂと出力端子２２ｄとの間が電気的に切断され、ひいては電池１２の負極端子１２ｂと負荷１８の負極端子１８ｂとの間が電気的に切断される。また、ＦＥＴ７０がオフ状態となることで、電池１２の負極端子１２ｂは接地電位とも電気的に切断される。
【００３９】
なお、負荷１８の正極端子１８ａはダイオード１６を介してジャック１４の正極端子１４ａと接続され、負荷の負極端子１８ｂは接地電位を介してジャック１４の負極端子１４ｂと接続された状態にある。したがって、当該ジャック１４の正極端子１４ａおよび負極端子１４ｂ間に印加された電圧Ｖは、ダイオード１６および接地電位を介して負荷１８の正極端子１８ａおよび負極端子１８ｂ間に印加される。
【００４０】
つまり、プラグがジャック１４に挿入されて、ジャック１４の正極端子１４ａと負極端子１４ｂとの間に電圧Ｖが印加された場合、換言すればジャック１４を介して電子機器１０内に直流電力Ｐａが供給された場合には、電池１２と負荷１８との間が電気的に切断され、代わりに当該直流電圧Ｐａが負荷１８に供給される。したがって、負荷１８は、直流電力Ｐａによって駆動される。また、電池１２の正極端子１２ａとジャック１４の正極端子１４ａとの間、および電池１２の負極端子１２ｂとジャック１４の負極端子１４ｂとの間も電気的に切断されるので、直流電力Ｐａに従う電流が電池１２に流入することもない。
【００４１】
なお、プラグがジャック１４に挿入されている状態で、当該プラグをジャック１４から引き抜く場合には、上述と逆の動作が行われるので、これについては詳しい説明を省略する。
【００４２】
以上の説明から判るように、この実施例によれば、ジャック１４を介して電子機器１０内に直流電力Ｐａが供給されたか否かに基づいて、当該直流電力Ｐａおよび電池１２からの直流電力Ｐｂのいずれかが負荷１８に供給される。したがって、ジャックの可動切片の状態に応じて駆動電源が切り換わるという上述した従来技術とは異なり、プラグがジャック１４に挿入される過程、或いはプラグがジャック１４から引き抜かれる過程で、瞬断は生じない。よって、負荷１８の安定動作が保障される。
【００４３】
また、電池１２と負荷１８（ジャック１４）との間には２つのスイッチ回路２０および２２が設けられているので、負荷１８に直流電力Ｐａが供給されているときは、これら両方のスイッチ回路２０および２２が破損して短絡状態にならない限り、当該直流電力Ｐａに従う電流が電池１２に流れ込むことはない。したがって、スイッチ手段が１つのみとされている従来技術に比べて、電池１２の安全をより一層確保することができる。このことは、電池１２として充電が禁止されている一次電池が用いられている場合に、特に有効である。
【００４４】
そして、スイッチ回路２０においては、その入力端子２０ｂおよび出力端子２０ｃ間を開閉するのに損失（電圧降下量）の小さいＦＥＴ５０が用いられており、スイッチ回路２２においても、その入力端子２２ｂおよび出力端子２２ｄ間を開閉するのにＦＥＴ７０が用いられている。したがって、負荷１８が直流電力Ｐｂによって駆動されているときの各スイッチ回路２０および２２による当該直流電力Ｐｂの損失が低減される。このことは、電子機器１０が公知の減電検出機能を有する場合に、特に有効である。
【００４５】
すなわち、減電検出機能によれば、負荷１８に供給される直流電力Ｐｂの電圧値が検出され、検出された電圧値が所定の基準値を下回ったとき、電池１２の残り容量が少ないと判断されて、当該直流電力Ｐｂの供給が自動的に停止される。ここで、たとえばスイッチ回路２０および２２による電圧降下量が大きいと、電池１２の残り容量に余裕がある場合でも、電池１２の残り容量が少ないと判断され、予定よりも早めに直流電力Ｐｂの供給が停止されてしまう。これに対して、この実施例では、スイッチ回路２０および２２による電圧降下量が小さいので、電池１２の残り容量が比較的に正確に判断され、略予定通りに直流電力Ｐｂの供給が停止される。したがって、電池１２の容量（性能）を有効に利用できる。
【００４６】
さらに、プラグがジャック１４に挿入されていないときは、電池１２の負極端子１２ｂがジャック１４のスイッチ端子１４ｃおよび負極端子１４ｂを介して接地電位に接続され、換言すればスイッチ回路２２を経由せずに直接接地電位に接続される。したがって、負荷１８が直流電力Ｐｂによって駆動されているとき、スイッチ回路２２による当該直流電力Ｐｂの損失が無くなり、電池１２の容量をより有効に利用できる。
【００４７】
なお、この実施例では、ジャック１４のスイッチ端子１４ｃが負極端子１４ｂと接触／非接触状態になる場合について説明したが、当該スイッチ端子１４ｃが正極端子１４ａと接触／非接触状態となる場合にも、この発明を適用することができる。ただし、この場合、スイッチ端子１４ｃは、電池１２の負極端子１２ｂに接続されるのではなく、正極端子１２ａに接続される必要がある。
【００４８】
また、スイッチ回路２０の詳細を図２に示したが、これは飽くまで一例であって、当該図２以外の構成によってスイッチ回路２０を実現してもよい。このことは、図３に示すスイッチ回路２２についても、同様である。
【００４９】
さらに、電池１２は、電池ホルダに装着されるものではなく、外付け型のもの（いわゆる外部バッテリ）であってもよい。また、直流電力Ｐａの供給源も、ＡＣアダプタに限らず、電池１２とは別の電池であってもよい。
【図面の簡単な説明】
【図１】この発明の一実施例の概略構成を示すブロック図である。
【図２】図１における一方のスイッチ回路の詳細な構成を示す電気回路図である。
【図３】図１における他方のスイッチ回路の詳細な構成を示す電気回路図である。
【符号の説明】
１０…電子機器
１２…電池
１４…ジャック
１８…負荷
２０，２２…スイッチ回路
【図１】
2004096892.tif 000003
【図２】
2004096892.tif 000004
【図３】
2004096892.tif 000005